(57)【要約】      （修正有）【課題】片手で簡単に操作することができ、滑り性を有する液体が付着した場合でも影響を受けることがなく、支柱などへのロック・解除を確実に行うことができる、フック装置の提供を目的とする。【解決手段】フック装置１は、装置本体２内に、支柱１２の軸方向に対して所定の角度で傾斜させた傾斜面と、支柱１２との間に設けられ、かつ傾斜面に沿って摺動する摺動部材と、ボタンと一体に形成され、かつ装置本体２の内部又は外部に移動可能に配設される押しボタン部材４と、押しボタン部材４に対して、弾性付勢力を作用させるように装置本体２内に配設される弾性部材と、装置本体２内に突設された第２支持軸を支点として回動可能に支持され、かつ一端が摺動部材が有する第１支持軸に、他端が押しボタン部材４が有する第３支持軸にそれぞれ支持された梃子部材とを備えるものである。【選択図】図１
2018111958.tif 000002
【特許請求の範囲】
【請求項１】
シャワーヘッドを脱着可能に係着する係止部、および支柱を貫通させる貫通孔を有する中空の装置本体と、
前記装置本体内に、前記支柱の軸方向に対して所定の角度で傾斜させた傾斜面と、前記支柱との間に設けられ、かつ前記傾斜面に沿って摺動する摺動部材と、
ボタンと一体に形成され、かつ前記装置本体の内部又は外部に移動可能に配設される押しボタン部材と、
前記押しボタン部材に対して、弾性付勢力を作用させるように前記装置本体内に配設される弾性部材と、
前記装置本体内に突設された第２支持軸を支点として回動可能に支持され、かつ一端が前記摺動部材が有する第１支持軸に、他端が前記押しボタン部材が有する第３支持軸にそれぞれ支持された梃子部材と、
を備え、
前記第２支持軸および前記第３支持軸間の距離は、前記第２支持軸及び前記第１支持軸間の距離よりも長くなるよう構成されていること
を特徴とするシャワーヘッド用フック装置。
【請求項２】
前記摺動部材及び／又は支柱は、
前記弾性部材によって、前記摺動部材が前記支柱に圧接されて摩擦力を生じる手段を備えること
を特徴とする請求項１に記載のシャワーヘッド用フック装置。
【請求項３】
前記摺動部材は、
前記支柱に圧接する部分において、前記摺動部材よりも摩擦係数の高い圧接部材を備えること
を特徴とする請求項１に記載のシャワーヘッド用フック装置。
【請求項４】
前記弾性部材は、
圧縮コイルばねであること
を特徴とする請求項１〜３に記載のシャワーヘッド用フック装置。
【請求項５】
前記押しボタン部材は、
前記支柱の軸方向に対して平行又は垂直に移動するように配設されていること
を特徴とする請求項１〜４のいずれかに記載のシャワーヘッド用フック装置。
【請求項６】
シャワーヘッドを脱着可能に係着する係止部および支柱を貫通させる貫通孔を有する中空の装置本体と、
前記装置本体内に、前記支柱の軸方向に対して所定の角度で傾斜させた傾斜面と、前記支柱との間に設けられ、かつ前記傾斜面に沿って摺動する摺動部材と、
前記装置本体内に突設された第２支持軸を支点として回動可能に支持され、かつ一端が前記摺動部材が有する第１支持軸に支持され、他端がボタンと一体に形成された押圧部を構成する梃子部材と、
前記押圧部に対して弾性付勢力を作用させるように前記装置本体と梃子部材との間に架設される弾性部材と、
を備え、
前記第２支持軸と前記梃子部材および前記弾性部材の当接部との間の距離は、前記第２支持軸及び前記第１支持軸間の距離よりも長くなるよう構成されていること
を特徴とするシャワーヘッド用フック装置。
【発明の詳細な説明】
【技術分野】
【０００１】
この発明は、浴室などで使用されるシャワーヘッドを、係止ないし支持するためのフック装置に関するものである。
【背景技術】
【０００２】
浴室などにおいては、一般的にシャワー装置を構成するシャワーヘッドの頭部を、着脱可能に支持するためのシャワー用フック装置が設けられている。
このようなフック装置の一例が、特許文献１〜６に開示されている。
【０００３】
特開２００２−１０６５２３号公報（特許文献１）においては、スライドのロックを確実に行うことができると共に、スライド操作を円滑に行うことができ、さらには、安定した性能を保持することができるスライドロック装置が提案されている。
【０００４】
このスライドロック装置は、図１に示されるように、その全体が相手部材（支柱）の長手方向に沿って移動可能に装着され、弾性部材によって付勢されたストッパが、相手部材との間で摩擦力を発生してスライドをロックするものである。
【０００５】
特開２００５−１８０４９１号公報（特許文献２）においては、一方向には、適度な抵抗で移動させることができ、反対方向には、軽快に移動させることができる、操作フィーリングが向上したスライドロック装置が提案されている。
【０００６】
このスライドロック装置は、軸状の相手部材とベースとの間に、ロック駒が圧接状態で挟まれることにより、相手部材とベースとの相対移動が、ロック駒の摩擦力によってロックされ、相手部材の一方向への相対移動によって、前記摩擦力が増大してロック駒が回転し、反対方向への相対移動によって、摩擦力低減方向にロック駒が移動可能としたものである。
【０００７】
特開２０１３−１９１５２号公報（特許文献３）においては、スライドバーとして安価な丸パイプを用いることができるシャワーノズル受け装置が提案されている。
【０００８】
特許第３８５８１８０号公報（特許文献４）においては、ロック状態を解除するとき、従来のようにボルトを弛める等の作業を必要とせず、手で動かすことができる軸スライドロック装置が提案されている。
【０００９】
特許第４６７８６２２号公報（特許文献５）においては、ロック力を大きくすることに起因して操作力が大きくなったり、ロック力を大きくするために、ばね力を大きくする必要がなく、確実にロックを行うことができ、しかも、高さ調整を簡単に行うことができるのに加えて、突出量が大きくなることがなく良好なデザイン性を有したスライドロック装置が提案されている。
【００１０】
特許第４８８４２５０号公報（特許文献６）においては、ロック状態の下で、スライドシャワーフックに保持されているシャワーヘッドを取り出す際、シャワーヘッドの上向きの移動に連れて、スライドシャワーフックが、スライドバーに沿って上向きに移動してしまうことがなく、使い勝手が良好なスライドシャワーフック装置が提案されている。
【先行技術文献】
【特許文献】
【００１１】
【特許文献１】特開２００２−１０６５２３号公報（特許請求の範囲，図１）
【特許文献２】特開２００５−１８０４９１号公報（特許請求の範囲，図１）
【特許文献３】特開２０１３−１９１５２号公報（特許請求の範囲，図１〜３）
【特許文献４】特許第３８５８１８０号公報（特許請求の範囲，図１及び３）
【特許文献５】特許第４６７８６２２号公報（特許請求の範囲，図４及び５）
【特許文献６】特許第４８８４２５０号公報（特許請求の範囲，図３）
【発明の概要】
【発明が解決しようとする課題】
【００１２】
前記従来のスライドロック装置ないしフック装置では、使用環境によっては、シャンプーや、石鹸水、油などの滑り性を有する液体が、パイプなどの相手部材に付着し、付着した液体によって相手部材が滑りを生じるので、前記ロック装置ないしフック装置が、自重で下降するおそれがあるという問題があった。
これを防止するためには、前記ロック装置ないしフック装置のロック力を大きくする必要があるが、この場合には、乾燥状態における操作力が大きくなるため、乾燥状態での操作性が低下するという問題があった。
【００１３】
特に、前記特許文献１，２及び４〜６に開示されている従来の装置では、パイプなどの相手部材への固定を行うロック力や、この相手部材に対する装置の操作性が摩擦力に大きく依存した構造となっている。
すなわち、摩擦力を大きくしてロック力を増大させた場合には、前記装置を操作する際に、ロックを解除するために非常に強い力が必要とされ、その操作性が悪くなる。
一方、摩擦力を小さくした場合には、その操作性が良好となる反面、充分なロック力を得ることができず、装置が自重によって下降するおそれがあるという問題があった。
【００１４】
さらに、前記ロック力を大きくするためには、付勢力が大きい弾性体を利用して摩擦力を大きくする必要があるが、大きい弾性体を使用する場合には、装置が大型化してしまうという問題もあった。
【００１５】
この発明はかかる現状に鑑み、上昇及び下降のいずれの方向へ移動させる場合であっても片手で簡単に操作することができ、シャンプーなどの滑り性を有する液体が付着した場合でも影響を受けることがなく、支柱などの相手部材へのロック・解除を確実に行うことができ、さらには構造が複雑でないフック装置、特にシャワーヘッド用フック装置を提供せんとするものである。
【課題を解決するための手段】
【００１６】
すなわち、この発明にかかる請求項１に記載の発明は、
シャワーヘッドを脱着可能に係着する係止部、および支柱を貫通させる貫通孔を有する中空の装置本体と、
前記装置本体内に、前記支柱の軸方向に対して所定の角度で傾斜させた傾斜面と、前記支柱との間に設けられ、かつ前記傾斜面に沿って摺動する摺動部材と、
ボタンと一体に形成され、かつ前記装置本体の内部又は外部に移動可能に配設される押しボタン部材と、
前記押しボタン部材に対して、弾性付勢力を作用させるように前記装置本体内に配設される弾性部材と、
前記装置本体内に突設された第２支持軸を支点として回動可能に支持され、かつ一端が前記摺動部材が有する第１支持軸に、他端が前記押しボタン部材が有する第３支持軸にそれぞれ支持された梃子部材と、
を備え、
前記第２支持軸および前記第３支持軸間の距離は、前記第２支持軸及び前記第１支持軸間の距離よりも長くなるよう構成されていること
を特徴とするシャワーヘッド用フック装置である。
【００１７】
この発明の請求項２に記載の発明は、
請求項１に記載のシャワーヘッド用フック装置において、
前記摺動部材及び／又は支柱は、
前記弾性部材によって、前記摺動部材が前記支柱に圧接されて摩擦力を生じる手段を備えること
を特徴とするものである。
【００１８】
この発明の請求項３に記載の発明は、
請求項１に記載のシャワーヘッド用フック装置において、
前記摺動部材は、
前記支柱に圧接する部分において、前記摺動部材よりも摩擦係数の高い圧接部材を備えること
を特徴とするものである。
【００１９】
この発明の請求項４に記載の発明は、
請求項１〜３のいずれかに記載のシャワーヘッド用フック装置において、
前記弾性部材は、
圧縮コイルばねであること
を特徴とするものである。
【００２０】
この発明の請求項５に記載の発明は、
請求項１〜４のいずれかに記載のシャワーヘッド用フック装置において、
前記押しボタン部材は、
前記支柱の軸方向に対して平行又は垂直に移動するように配設されていること
を特徴とするものである。
【００２１】
この発明の請求項６に記載の発明は、
シャワーヘッドを脱着可能に係着する係止部および支柱を貫通させる貫通孔を有する中空の装置本体と、
前記装置本体内に、前記支柱の軸方向に対して所定の角度で傾斜させた傾斜面と、前記支柱との間に設けられ、かつ前記傾斜面に沿って摺動する摺動部材と、
前記装置本体内に突設された第２支持軸を支点として回動可能に支持され、かつ一端が前記摺動部材が有する第１支持軸に支持され、他端がボタンと一体に形成された押圧部を構成する梃子部材と、
前記押圧部に対して弾性付勢力を作用させるように前記装置本体と梃子部材との間に架設される弾性部材と、
を備え、
前記第２支持軸と前記梃子部材および前記弾性部材の当接部との間の距離は、前記第２支持軸及び前記第１支持軸間の距離よりも長くなるよう構成されていること
を特徴とするシャワーヘッド用フック装置である。
【発明の効果】
【００２２】
この発明のフック装置は、シャワーヘッド用のフック装置であって、装置本体の内部に形成された空間内に、支柱の軸方向に対して所定の角度で傾斜させた傾斜面に沿って摺動する摺動部材と、ボタンと一体に形成され、かつ前記装置本体の内部又は外部に、例えば、前記支柱の軸方向に対して平行又は垂直に、移動可能に配設される押しボタン部材と、前記押しボタン部材に対して弾性付勢力を作用させるように前記装置本体内に配設される弾性部材と、前記装置本体内に突設された第２支持軸を支点として回動可能に支持され、かつ一端が前記摺動部材が有する第１支持軸に、他端が前記押しボタン部材が有する第３支持軸にそれぞれ支持された梃子部材とを備えるもので、前記摺動部材を、押しボタン操作によって、支柱との間の摩擦力が増加又は減少する方向に摺動させて、支柱への固定・解除を行うものである。
このフック装置は、前記第２支持軸および前記第３支持軸間の距離が、前記第２支持軸及び前記第１支持軸間の距離よりも長くなるよう設定されているので、いわゆる梃子の原理によって、支柱などの相手部材へのロックに際しては、極めて強い力で行うことができる一方、その解除（昇降）に際しては、そのための操作を、弱い力で、簡単かつ確実に行うことができるものである。
よって、シャンプーなどの滑り性を有する液体が付着した場合でも影響を受けることがなく、支柱などの相手部材へのロック・解除を簡単かつ確実に行うことができる
【００２３】
特に、この発明のフック装置は、装置本体と、摺動部材と、押しボタン部材と、弾性部材と、梃子部材と、から構成されるものであるので、その構造は極めて簡単であって、故障が少なく、部品点数が少なく済み、安価に提供することができる。
【００２４】
さらに、この発明のフック装置は、容易に分解可能なものとすることができるので、メンテナンスや修理を容易に行うことができる。
【００２５】
さらにまた、この発明のフック装置は、前記梃子部材を、その一端にボタンとして機能するボタン部分（押圧部）を形成することによって、押しボタンが一体化した構造とすることができるものである。
したがって、さらに部品点数を少なくすることができ、より安価に提供することができる。
【図面の簡単な説明】
【００２６】
【図１】この発明のフック装置の一実施形態を示した斜視図であって、（ａ）は、上斜視図を示し、（ｂ）は、下斜視図を示すものである。
【図２】装置本体を構成するケース本体の内部の説明図であって、ボタンを押圧操作していない状態を示すものである。
【図３】装置本体を構成するケース本体の内部の説明図であって、ボタンを押圧操作した状態を示すものである。
【図４】図１に示すフック装置のＡ−Ａ’断面図であって、ボタンを押圧操作していない状態を示すものである。
【図５】図１に示すフック装置のＡ−Ａ’断面図であって、ボタンを押圧操作した状態を示すものである。
【図６】この発明のフック装置の他の実施形態を示した説明図であって、ボタンを押圧操作していない状態を示すものである。
【図７】この発明のフック装置の他の実施形態を示した説明図であって、ボタンを押圧操作していない状態を示すものである。
【図８】図７に示すフック装置の他の実施形態を示した説明図であって、ボタンを押圧操作していない状態を示すものである。
【図９】この発明のフック装置の他の実施形態を示した説明図であって、ボタンを押圧操作していない状態を示すものである。
【発明を実施するための形態】
【００２７】
以下、この発明のシャワーヘッド用フック装置（以下、単に「フック装置」と言う）の一実施の形態の構成を、図面を参照して説明する。
なお、この発明は、図面に示す形態にのみ限定されるものではなく、要旨を変更しない範囲内において種々改良を加えることができるものである。
【００２８】
図１は、この発明にかかるフック装置１の一例を示した斜視図である。
この発明のフック装置１は、浴室の壁面などに沿って垂直に配される支柱１２に沿って移動させることによって、所望の高さ位置に設定することができる。
【００２９】
前記フック装置１は、図２〜５に示すように、中空の装置本体２と、前記装置本体２内の、前記支柱１２の軸方向に対して所定の角度で傾斜させた傾斜面８ａと、前記支柱１２との間に設けられ、かつ前記傾斜面８ａに沿って摺動する摺動部材３と、前記装置本体２内に設けられ、ボタンと一体に形成され、かつ前記支柱１２の軸方向に対して平行に摺動する押しボタン部材４と、前記押しボタン部材４内に装着される圧縮コイルばねからなる弾性部材５と、前記装置本体２内に突設された支持軸（第２支持軸）１１ｂを支点として回動可能で、かつ一端が前記摺動部材３が有する支持軸１１ａに、他端が前記押しボタン部材４が有する支持軸１１ｃに、それぞれ支持された平板状の梃子部材６とで構成されるものである。
【００３０】
前記装置本体２は、図１に示すように、各部材などを収納するために、縦方向に２分割されたもので、中空の右ケース部材２ａと中空の左ケース部材２ｂとを、係止片やネジなどの締結手段によって一体に結合して構成されている。
【００３１】
前記右ケース部材２ａの一端側には、前記左ケース部材２ｂと結合させた際、前記装置本体２を、前記支柱１２に沿って上下動させるための貫通孔を上下方向に形成するため、所要の大きさの半円状の切欠き２ｃが形成され、前記左ケース部材２ｂの一端側にも、前記切欠き２ｃと相対する半円状の切欠き２ｄが形成されている。
【００３２】
なお、前記支柱１２については、その素材については特に制限はなく、ステンレス製パイプなどが好適に使用される。
【００３３】
前記右ケース部材２ａの他端側には、シャワーヘッドを係止するヘッド係止部１０を形成するため所要の大きさの切欠き２ｅが形成され、前記左ケース部材２ｂの他端側にも、前記切欠き２ｅと相対する切欠き２ｆが形成されている。
【００３４】
なお、前記ヘッド係止部１０には、開口部１０ａを上下方向に形成することにより、シャワーヘッドを係止するための円弧状の係止部１０ｂが形成されている。
【００３５】
さらに、前記右ケース部材２ａの下部の所定の位置には、前記左ケース部材２ｂと結合させたときに、押しボタン部材４のボタン部分を、前記装置本体２から突出させるための開口部が形成されるように、所要の大きさの切欠き２ｇが形成され、前記左ケース部材２ｂにも、前記切欠き２ｇと相対する切欠き２ｈが形成されている。
【００３６】
前記摺動部材３は、図２〜５に示すように、前記装置本体２内において、鉛直な支柱１２の上方から下方に向かって、前記支柱１２から離れるように、前記支柱１２の軸方向に対して、所定の角度で傾斜するよう形成された規制リブ８の傾斜面８ａと、前記支柱１２との間に形成される空間Ｓ１内に設けられるものである。
【００３７】
一方、前記摺動部材３の背面には、前記支柱１２の上方から下方に向かって支柱１２から離れるよう、上端から下端に向かって暫時幅が広がるように所定の角度に傾斜させた摺動面３ａが形成されている。
したがって、前記摺動面３ａは、前記傾斜面８ａと常に接しているので、前記摺動部材３は、前記装置本体２の内部の傾斜面８ａに沿って摺動する。
よって、前記摺動部材３は、後述する押しボタン部材４の上下移動に伴って、前記支柱１２と密着又は離反し、前記支柱１２との間の摩擦力が、増加又は減少する方向に摺動する。
【００３８】
図２〜５に示すように、前記装置本体２の空間Ｓ２内には、押しボタン部材４が配設されている。
具体的には、前記押しボタン部材４は、押しボタンと一体に形成されたもので、前記支柱１２の軸方向に対して平行に摺動するように形成された、規制リブ９ａ，９ｂによって区画された空間Ｓ２内に配設されている。
これによって、前記押しボタン部材４は、前記規制リブ９ａ，９ｂに沿って上下方向に摺動する。
【００３９】
前記押しボタン部材４の内部には、図４及び５に示すように収容空間Ｓ３が形成され、この収容空間Ｓ３内に前記弾性部材５が装着される。
前記押しボタン部材４は、この弾性部材５の伸縮に伴って上下方向に摺動するものである。
【００４０】
具体的には、前記押しボタン部材４は、何ら操作されていない通常の状態にあるときは、前記弾性部材５の付勢力によって、その先端のボタン部分が前記装置本体２の外部に常時突出した状態にある。
一方、押圧操作が行われたときには、前記押しボタン部材４は、前記装置本体２の上方（内部）に移動する。
【００４１】
前記弾性部材５は、前記押しボタン部材４に対して付勢力を作用させるためのもので、図２〜５においては、一定量圧縮した状態で、前記支柱１２の軸方向に対して、平行に前記押しボタン部材４の収容空間Ｓ３に挿入されている。
前記弾性部材５の下端部は、前記収容空間Ｓ３の上部（保持部Ｈ）に当接するもので、これによって、前記弾性部材５の付勢力が押しボタン部材４に作用する。
そのため、前記押しボタン部材４は、前記弾性部材５の付勢力によって前記装置本体２の外部に向かって付勢されるので、前記押しボタン部材４が備えるボタン部分は、装置本体２の開口部２ｉから突出した状態になるとともに、後述するように前記摺動部材３（又は圧接部材７）を前記支柱１２に密着した状態に保持することができる。
なお、この実施例において、前記弾性部材５は、その上部を保持部Ｈによって保持されている。
【００４２】
なお、かかる弾性部材５としては、捻じりコイルばねや板バネなどの圧縮コイルばね以外の各種ばね、又はゴムなどの弾性体或いは各種シリンダ装置なども用いることができる。
その際、前記弾性部材５の付勢力は、後述する梃子部材６を使用しない状態で、フック装置１の上方移動を困難にする程度のものであることが好ましい。
【００４３】
前記梃子部材６は、前記装置本体２内の前記摺動部材３と、前記押しボタン部材４の間の所定の位置に突設された第２支持軸１１ｂに、これを支点として回動可能に支持されている。
さらに、前記梃子部材６には、その両端部にＵ字状の切込みを形成して、前記摺動部材３に突設された第１支持軸１１ａ及び前記押しボタン部材４（図２及び３において、その上端部）に突設された第３支持軸１１ｃを、それぞれ支持するための係合部６ａ，６ｂが形成されている。
【００４４】
なお、この実施例においては、前記第２支持軸１１ｂと前記第３支持軸１１ｃの間の距離ｄ１は、前記第２支持軸１１ｂと前記第１支持軸１１ａの間の距離Ｄ１よりも長くなるように設定されている。
【００４５】
前記梃子部材６の一端側の係合部６ａは、前記摺動部材３に突設された第１支持軸１１ａに回動可能に支持され、他端側の係合部６ｂは、前記押しボタン部材４に突設された第３支持軸１１ｃに回動可能に支持されている。
このような構成によって、前記梃子部材６においては、前記装置本体２に突設された第２支持軸１１ｂが支点、押圧力又は付勢力によって上下移動する前記押しボタン部材４に突設された第３支持軸１１ｃが力点、前記摺動部材３に突設された第１支持軸１１ａが作用点として機能する。
【００４６】
したがって、前記押しボタン部材４が押圧力を受けていない初期状態では、図２に示すように、前記押しボタン部材４は、その移動範囲内で最下部に位置し、前記摺動部材３は、摺動範囲内で最上部に位置する。
一方、前記押しボタン部材４に押圧力を加える場合には、前記押しボタン部材４を軽く押すだけで、図３に示すように、前記梃子部材６が第２支持軸１１ｂを支点として反時計方向に搖動して、前記摺動部材３が前記支柱１２から離れる方向に摺動する。
【００４７】
この実施例において、前記摺動部材３の支柱１２側、詳しくは、前記支柱１２に圧接する部分には、円弧状の圧接部材７が備えられ、前記弾性部材５の付勢力によって、常時前記支柱１２と密着している。
なお、前記圧接部材７については、前記支柱１２と密着する面を、前記支柱１２の外形に対応したものとすることが好ましい。
【００４８】
前記圧接部材７は、前記弾性部材５によって、前記支柱１２に圧接されて摩擦力を生じる材質からなる部材であればよい。
かかる圧接部材７としては、例えば、ゴムなどの弾性を有する樹脂材料からなるものが挙げられる。
【００４９】
なお、前記圧接部材７の摺動部材３への固定は、接着、溶着、その他の手段により行うことができる。
【００５０】
さらに、このような圧接部材７は、前記支柱１２において前記摺動部材３が圧接する位置、又は前記摺動部材３の支柱１２側と前記支柱１２の前記摺動部材３の圧接位置の両方に配設してもよい。
【００５１】
さらにまた、前記圧接部材７の配設に代えて、凹凸加工など、弾性部材によって支柱１２に密着して摩擦力を生じる手段を、摺動部材３及び／又は支柱１２に施してもよい。
【００５２】
かかるフック装置１の使用に際して、上昇及び下降のいずれの方向へ移動させる場合であっても片手で簡単に操作することができ、シャンプーなどの滑り性を有する液体が付着した場合でも影響を受けることがなく、支柱などの相手部材へのロック・解除を確実に行うことができるメカニズムについて説明する。
【００５３】
前記したように、前記フック装置１において、前記梃子部材６は、前記装置本体２に突設された第２支持軸１１ｂが支点、押圧力又は付勢力によって上下移動する前記押しボタン部材４に突設された第３支持軸１１ｃが力点、前記摺動部材３に突設された第１支持軸１１ａが作用点として機能するものである。
【００５４】
この実施例においては、支点と力点の間の距離ｄ１は、支点と作用点の間の距離Ｄ１よりも長く設定されている（ｄ１＞Ｄ１）ので、力点に加えられた押圧力ｆは、梃子の原理で増幅され、その作用点において力Ｆとして得られる。
この場合において、ｄ１×ｆ＝Ｄ１×Ｆという関係が成立する。
【００５５】
したがって、前記押しボタン部材４が押圧されていない状態では、前記弾性部材５による付勢力が、力点に加えられる力ｆに相当し、梃子の原理によって増幅されて、作用点においては、前記摺動部材３を前記支柱１２に押し付ける方向に対して、付勢力ｆのｄ１／Ｄ１倍の力Ｆで前記摺動部材３は、前記支柱１２に強く押し付けられることになる。
よって、この発明のフック装置は、シャンプーなどの滑り性を有する液体が付着した場合でも影響を受けることがなく、支柱などの相手部材に強固にロックされる。
なお、この実施例においては、支点と力点の間の距離は、支点と作用点の間の距離の２倍に設定しているので、前記摺動部材３は、付勢力の２倍の力で支柱１２に押し付けられていることになる。
【００５６】
一方、前記押しボタン部材４を押圧する場合には、その押圧力が力点に加える力ｆに相当し、作用点においては、梃子の原理によって、前記摺動部材３が離れる方向に加わる力Ｆが、ｄ１／Ｄ１倍に増幅されるので、前記摺動部材３を前記支柱１２から離すために加える力は、少ないもので済む。
よって、この発明のフック装置を、上昇及び下降のいずれの方向へ移動させる場合であっても、片手で簡単に操作することができる。
【００５７】
つぎに、この発明のフック装置１の作動について説明する。
図２及び４において、前記フック装置１は何ら操作されておらず、通常の状態にある。
すなわち、通常の状態では、前記弾性部材５の付勢力が、前記梃子部材６を介して前記摺動部材３に伝達されるため、この付勢力によって、前記摺動部材３は、空間Ｓ１内の傾斜面８ａに沿って前記装置本体２から離れる方向（図２及び４において上方）に摺動し、前記摺動部材３が備える圧接部材７は、支柱１２に密着した状態にある。
そのため、前記圧接部材７と前記支柱１２の間に、梃子の原理によって増幅された極めて強い摩擦力が発生する。
これによって、前記フック装置１は前記支柱１２の所定の位置にロック（固定）され、上下方向への移動が極めて困難な状態となっている。
なお、この状態においては、前記押しボタン部材４の先端（ボタン部分）は、図示のように装置本体２から突出している。
【００５８】
一方、図３及び５において、前記押しボタン部材４を押圧操作し、前記弾性部材５の付勢力に抗して前記摺動部材３を前記装置本体２内に押し込むと、前記摺動部材３が、前記空間Ｓ１内の前記傾斜面８ａに沿って下方向に摺動し、これにより前記摺動部材３が備える圧接部材７が前記支柱１２から、僅かに離れることとなる。
したがって、前記圧接部材７と前記支柱１２の間では、摩擦力が消失する。
このような状態では、前記圧接部材７によるロック状態が解除されるため、上下いずれの方向に対しても前記フック装置１を、梃子の原理によって極めて軽くなった力で簡単に移動させることができる。
【００５９】
かくして、前記フック装置１の高さ調整を、容易に行うことができる。
なお、前記押しボタン部材４への押圧操作を解除すると、前記したように前記弾性部材５の付勢力によって、前記摺動部材３が備える圧接部材７と前記支柱１２との間に摩擦力が発生するため、前記フック装置１は、その所定の位置に固定されることとなる。
【００６０】
かかる構成のフック装置１は、図１〜５に示すように、主として装置本体２、摺動部材３、押しボタン部材４、弾性部材５、梃子部材６、圧接部材７で構成され、前記装置本体２は、ヘッド係止部１０、右ケース部材２ａ及び左ケース部材２ｂで構成されるものとすることができる。
したがって、部品点数が少なく、構造も簡単である。
【００６１】
さらに、前記フック装置１は、例えば、前記押しボタン部材４（詳しくは、その収容空間Ｓ３）に前記弾性部材５を挿入するとともに、必要に応じて前記摺動部材３に圧接部材７を装着し、これらを右ケース部材２ａ内の所定の空間に配置し、係止部２ｂと結合させた後、左ケース部材２ｂを装着し、締結部材などを用いて締結することによって、容易に組み立てることができるものである。
一方、前記フック装置１については、前記締結部材を外すことによって、分解することができるので、そのメンテナンスや修理を容易に行うことができる。
【００６２】
この実施例においては、前記押しボタン部材４を前記装置本体２の下方に突出するように設けるとともに、前記摺動部材３の配設（例えば摺動面３ａ及び傾斜面８ａの傾斜方向）を、上方から下方に向かって前記支柱１２から離れるようにした形態について記載したが、これとは逆に、前記押しボタン部材４を前記装置本体２の上方に突出するように設けるとともに、前記弾性部材５の配設（例えば摺動面３ａ及び傾斜面８ａの傾斜方向）を、下方から上方に向かって前記支柱１２から離れるようにしても、この発明の効果が得られるので、このような形態もこの発明に包含される。
【００６３】
さらに、他の実施の形態として、押しボタン部材の左右方向への移動に伴って、摺動部材が、支柱と密着又は離反し、前記支柱との間の摩擦力が、増加又は減少する方向に摺動する構成としてもよい。
【００６４】
図６において、フック装置１０１は、前記フック装置１と基本的に同様の構成を有するもので、中空の断面Ｌ字状の装置本体１０２と、前記装置本体１０２内の、支柱１１２の軸方向に対して所定の角度で傾斜させた傾斜面１０８ａと、前記支柱１１２との間に形成される空間Ｓ１１内に設けられ、かつ前記傾斜面１０８ａに沿って摺動する摺動部材１０３と、ボタンと一体に形成され、かつ前記支柱１１２の軸方向に対して垂直に摺動する押しボタン部材１０４と、前記押しボタン部材１０４内に装着される圧縮コイルばねからなる弾性部材１０５と、前記装置本体１０２内に突設された支持軸（第２支持軸）１１１ｂを支点として回動可能で、かつ一端が前記摺動部材１０３が有する支持軸１１１ａに、他端が前記押しボタン部材１０４が有する支持軸１１１ｃに、それぞれ支持された、Ｌ字状の平板からなる梃子部材１０６とで構成されている。
さらに、前記摺動部材１０３の支柱１１２側には、円弧状の圧接部材１０７が備えられている。
【００６５】
なお、図６において、前記押しボタン部材１０４は、前記支柱１１２の軸方向に対して垂直に摺動するように形成された、規制リブ１０９ａ，１０９ｂ間に外嵌され、これらの規制リブ１０９ａ，１０９ｂに沿って左右方向に摺動する。
前記摺動部材１０３は、前記押しボタン部材１０４の左右方向の移動に伴って、前記支柱１１２と密着又は離反し、前記支柱１１２との間の摩擦力が、増加又は減少する方向に摺動する。
【００６６】
前記梃子部材１０６は、前記摺動部材１０３と前記押しボタン部材１０４の間の所定の位置に突設された第２支持軸１１１ｂに、これを支点として回動可能に支持されている。
さらに、前記梃子部材１０６は、その一端側にＵ字状の切込みを形成することによって設けられた係合部１０６ａが前記摺動部材１０３に突設された第１支持軸１１１ａに回動可能に支持され、かつ他端側に形成されたガイド溝１０６ｂが前記押しボタン部材１０４に突設された第３支持軸１１１ｃに回動（搖動）可能に支持されるように構成されている。
【００６７】
前記第２支持軸１１１ｂと前記第３支持軸１１１ｃの間の距離ｄ２は、前記第２支持軸１１１ｂと前記第１支持軸１１１ａの間の距離Ｄ２よりも長くなるように設定されているので、梃子の原理によって、前記フック装置１０１を、上昇及び下降のいずれの方向へ移動させる場合であっても片手で簡単に操作することができ、前記フック装置１０１の、支柱１１２へのロック・解除を確実に行うことができる。
【００６８】
さらにまた、他の実施の形態として、梃子部材の一端にボタン部分を形成することによって、梃子部材と押しボタンとが一体化した構成としてもよい。
この場合においても、前記梃子部材においては、前記装置本体に突設された第２支持軸が支点、前記梃子部材の前記弾性部材との当接部が力点、前記摺動部材に突設された第１支持軸が作用点として機能することになるが、前記同様、梃子の原理による作用効果を得ることができる。
このような構成によって、フック装置を構成する部品点数を、さらに少なくすることができるので、フック装置を、より安価に提供することができる。
【００６９】
例えば、図７に示すフック装置２０１は、前記フック装置１と基本的に同様の構成を有するもので、梃子部材２０６の他端側を、支柱２１２への固定・解除を行うボタンとして機能する押圧部２０６ｂとしたものである。
【００７０】
具体的には、図７において、フック装置２０１は、中空の装置本体２０２と、前記装置本体２０２内の、前記支柱２１２の軸方向に対して所定の角度で傾斜させた傾斜面２０８ａと、前記支柱２１２との間に形成される空間Ｓ２１内に設けられ、かつ前記傾斜面２０８ａに沿って摺動する摺動部材２０３と、前記装置本体２０２内に突設された支持軸（第２支持軸）２１１ｂを支点として回動可能で、かつ一端が、Ｕ字状の切込みを形成することによって設けられた係合部２０６ａにおいて、前記摺動部材２０３が有する支持軸２１１ａに支持され、他端が押圧部２０６ｂを構成する平板状の梃子部材２０６と、前記梃子部材２０６の他端側に形成された収容空間Ｓ２４と前記装置本体２０２内に形成された収容空間Ｓ２３との間に、一定量圧縮した状態で、前記支柱２１２の軸方向に対して、所定の角度で傾斜させて、架設される圧縮コイルばねからなる弾性部材２０５とで構成されている。
【００７１】
前記摺動部材２０３は、その支柱２１２側に円弧状の圧接部材２０７を備え、前記梃子部材２０６の上下方向の搖動に伴って、前記支柱２１２と密着又は離反し、前記支柱２１２との間の摩擦力が、増加又は減少する方向に摺動する。
【００７２】
前記第２支持軸２１１ｂと前記梃子部材２０６および前記弾性部材２０５の当接部との間の距離ｄ３は、前記第２支持軸２１１ｂと前記第１支持軸２１１ａの間の距離Ｄ３よりも長くなるように設定されているので、梃子の原理によって、前記フック装置２０１を、上昇及び下降のいずれの方向へ移動させる場合であっても片手で簡単に操作することができ、前記フック装置２０１の、支柱２１２へのロック・解除を確実に行うことができる。
【００７３】
なお、図８に示すフック装置２０１は、弾性部材２０６として、捻じりコイルばねを使用したこと以外は、図７に示すフック装置２０１と同様のものである。
【００７４】
さらに、別の形態として、図９に示すフック装置３０１は、前記フック装置１０１と基本的に同様の構成を有するもので、前記フック装置１０１における梃子部材１０６の他端と押しボタン部材１０４とを一体化して、押圧部（押しボタン部）を構成するものである。
【００７５】
具体的には、図９において、フック装置３０１は、中空の断面Ｌ字状の装置本体３０２と、前記装置本体３０２内の、前記支柱３１２の軸方向に対して所定の角度で傾斜させた傾斜面３０８ａと、前記支柱３１２との間に形成される空間Ｓ３１内に設けられ、かつ前記傾斜面３０８ａに沿って摺動する摺動部材３０３と、前記装置本体３０２内に突設された支持軸（第２支持軸）３１１ｂを支点として回動可能で、かつ一端が前記摺動部材３０３が有する支持軸３１１ａに支持され、他端がボタンと一体に形成され、前記支柱３１２に外嵌する押圧部３０６ｂを構成する梃子部材３０６と、コイル状に捲かれたコイル部３０５ｂが前記装置本体３０２内に突設された係止ピン３０２ｋに係止され、一方の端末３０５ａが前記押圧部３０６ｂの内部に形成されたばね支持孔（図示せず）に挿入されて係止され、他方の端末３０５ｃが前記装置本体３０２内に形成されたばね支持孔（図示せず）に挿入されて係止される捻じりコイルばねからなる、前記押圧部３０６ｂに対して付勢力を作用させる弾性部材３０５とで構成されている。
【００７６】
なお、この発明のフック装置は、シャワー装置のシャワーヘッドを係止するために使用するものであるが、他の装置の支柱部分などの被係止物ないし被係止部を係止するために使用することも当然可能なものである。
【産業上の利用可能性】
【００７７】
この発明は、シャワー装置のシャワーヘッドなどを支持するためのフック装置に関するもので、支柱などの相手部材へのロックに際しては、極めて強い力で行うことができる一方、その解除（昇降）に際しては、そのための操作を、弱い力で、簡単かつ確実に行うことができるので、シャンプーなどの滑り性を有する液体が付着した場合でも影響を受けることがなく、支柱などの相手部材へのロック・解除を簡単かつ確実に行うことができる。
したがって、この発明は、シャワー装置のシャワーヘッドなどを支持するためのフック装置として、幅広く利用されるものである。
【符号の説明】
【００７８】
１，１０１，２０１，３０１            フック装置
２，１０２，２０２，３０２            装置本体
２ａ                                  右ケース部材
２ｂ                                  左ケース部材
２ｃ〜２ｈ                            切欠き
２ｉ                                  開口部
３０２ｋ                              係止ピン
３，１０３，２０３，３０３            摺動部材
３ａ，１０３ａ，２０３ａ，３０３ａ    摺動面
４，１０４                            押しボタン部材
５，１０５，２０５，３０５            弾性部材
６，１０６，２０６，３０６            梃子部材
６ａ，１０６ａ，２０６ａ，３０６ａ    係合部
６ｂ                                  係合部
７，１０７，２０７，３０７            圧接部材
８                                    規制リブ
８ａ，１０８ａ，２０８ａ，３０８ａ    傾斜面
９ａ，１０９ａ                        規制リブ
９ｂ，１０９ｂ                        規制リブ
１０，１１０，２１０，３１０            ヘッド係止部
１０ａ                                  開口部
１０ｂ                                  係止部
１１ａ，１１１ａ，２１１ａ，３１１ａ    第１支持軸
１１ｂ，１１１ｂ，２１１ｂ，３１１ｂ    第２支持軸
１１ｃ，１１１ｃ                        第３支持軸
１２，１１２，２１２，３１２            支柱
２０６ｂ，３０６ｂ                      押圧部
Ｈ                                    保持部
Ｓ１，Ｓ１１，Ｓ２１，Ｓ３１          空間
Ｓ２                                  空間
Ｓ３，Ｓ１３，Ｓ２３，Ｓ２４          収容空間
【図１】
2018111958.tif 000003
【図２】
2018111958.tif 000004
【図３】
2018111958.tif 000005
【図４】
2018111958.tif 000006
【図５】
2018111958.tif 000007
【図６】
2018111958.tif 000008
【図７】
2018111958.tif 000009
【図８】
2018111958.tif 000010
【図９】
2018111958.tif 000011